(57)【要約】      （修正有）【課題】花束に添えられる造花を比較的容易に形成することを可能とする造花形成用リボンを提供する。【解決手段】造花形成用リボンは、互いに重ね合わされた一対のストリップと、両ストリップ間に配置され両ストリップの両側部間を両ストリップの長手方向へ伸びる少なくとも１つの紐と、スティック１８とを備える。両ストリップ及び前記紐はこれらの一端部において相互に接合され、また、両ストリップはこれらの両側部の複数の箇所であって両ストリップの一端部２６ａから他端部２６ｂに向けて互いに間隔をおいて横切る複数の線上にそれぞれ位置する複数の箇所において相互に接合されている。スティック１８は、両ストリップの他端部２６ｂの一方に固定されている。【選択図】図２
0003212112.tif 000002
【実用新案登録請求の範囲】
【請求項１】
互いに重ね合わされた一対のストリップと、両ストリップ間に配置され両ストリップの両側部間を両ストリップの長手方向へ伸びる少なくとも１つの紐と、スティックとを備え、
両ストリップ及び前記紐がこれらの一端部において相互に接合され、また、両ストリップがこれらの両側部の複数の箇所であって両ストリップの一端部から他端部に向けて互いに間隔をおいて横切る複数の線上にそれぞれ位置する複数の箇所において相互に接合され、
前記スティックが、両ストリップの他端部の一方に固定されている、造花形成用リボン。
【請求項２】
前記スティックは先細の先端部を有する、請求項１に記載の造花形成用リボン。
【請求項３】
前記スティックは細長い板片からなる、請求項１又は２に記載の造花形成用リボン。
【考案の詳細な説明】
【技術分野】
【０００１】
本考案は、花束に添えられる造花を形成するための造花形成用リボンに関する。
【背景技術】
【０００２】
生花の束である花束、特にラウンドブーケのような花束により一層のボリューム感や華やかさ、彩り等を与えるため、花束に複数の造花を添えることが行われている。
【０００３】
花束に添えられる造花は、従来、ループ状に湾曲させてなる複数のリボン片をこれらの一箇所で針金の一部で留めてなり、前記針金の他の一部が造花の茎をなす。形成された造花は、その茎に相当する前記針金の他の一部を、花束を構成する生花の茎が突き刺された吸水性スポンジ（オアシス）に突き刺すことにより、前記生花の花冠間に配置される。
【先行技術文献】
【特許文献】
【０００４】
【特許文献１】特開平８−４９１０５号公報
【考案の概要】
【考案が解決しようとする課題】
【０００５】
ところで、前記造花の形成には比較的面倒な手作業を伴うという問題がある。本考案は、花束に添えられる造花を比較的容易に形成することを可能とする造花形成用リボンを提供する。
【課題を解決するための手段】
【０００６】
本考案は、造花形成用リボンに係り、造花形成用リボンは、互いに重ね合わされた一対のストリップと、両ストリップ間に配置され両ストリップの両側部間を両ストリップの長手方向へ伸びる少なくとも１つの紐と、スティックとを備える。両ストリップ及び前記紐はこれらの一端部において相互に接合され、また、両ストリップがこれらの両側部の複数の箇所であって両ストリップの一端部から他端部に向けて互いに間隔をおいて横切る複数の線上にそれぞれ位置する複数の箇所において相互に接合されている。また、前記スティックは両ストリップの他端部の一方に固定されている。
【０００７】
本考案によれば、前記紐に対して両ストリップの他端部をこれらの一端部に向けて相対移動させることができ、この相対移動により、両ストリップはこれらの一端部においてまた複数の線のそれぞれに沿って折れ曲がり、両ストリップの一端部とこれに隣接する線との間の部分、及び、線相互間の部分（線間部分）が前記紐の周囲にループ状に張り出しかつ紐の長手方向に関して互いに部分的に重なり合う。その結果、ループ状に張り出しかつ互いに重なり合うこれらの複数の部分を花弁としまたこれらの花弁を花冠とする造花が形成される。ここにおいて、両リボン片の他端部の一方に固定されたスティックは前記造花の茎としての機能を担う。これによれば、花冠と該花冠から伸びる茎とを有する造花の形成を比較的容易に行うことができる。形成された造花は、その茎をなす前記スティックを介して、花束を構成する生花の茎が突き刺された吸水性スポンジ（オアシス）に突き刺すことができ、これにより、前記生花の花冠間に配置することができる。
【０００８】
前記スティックは、好ましくは、前記吸水性スポンジへの突き刺しを容易にする先細の先端部を有する。また、前記スティックは細長い板片からなるものとすることができる。
【図面の簡単な説明】
【０００９】
【図１】造花が添えられた花束の平面図である。
【図２】造花の正面図である。
【図３】造花の背面図である。
【図４】生花及び造花と、これらが突き刺される吸水性スポンジとを示す斜視図である。
【図５】造花形成用リボンの平面図である。
【図６】造花形成用リボンのその一部をめくって示す平面図である。
【図７】造花の形成途上にある造花形成用リボンを示す斜視図である。
【考案を実施するための形態】
【００１０】
図１を参照すると、花束１０に添えられた複数の造花がそれぞれ全体に符号１２で示されている。
【００１１】
図示の花束１０は、比較的短めに切られた茎を有するバラのような複数の生花１４を用いて形成されたラウンドブーケからなる。また、造花１２は、図２及び図３に示すように、花冠１６と、該花冠から伸びる茎に相当する細長いスティック１８とからなる。
【００１２】
図４に示すように、花束１０を構成する個々の生花１４は、その花冠１４aに連なる茎１４ｂにおいて、オアシスと称される吸水性スポンジ（オアシス）２０に突き刺されている。また、各造花１２はそのスティック１８において吸水性スポンジ２０に突き刺されている。これにより、各造花１２は、その花冠１６が生花１４の花冠１４a相互間に位置するように配置されている（図１参照）。
【００１３】
造花１２は、図５及び図６に示す造花形成用リボン２４により形成されている。造花形成用リボン２４は、一対の相対するストリップ２６と両ストリップ２６間に配置された少なくとも１つ（図示の例では一対）の紐２８とを有する。図示の例において、両ストリップ２６及び両紐２８は、それぞれ、互いに重ね合わされた比較的幅の広いリボン片及び互いに重ね合わされた比較的幅の狭いリボン片からなる。ストリップ２６および紐２８は、それぞれ、合成繊維製の織布からなる。両ストリップ２６相互、及び、両ストリップ２６及び両紐２８相互は、超音波振動を用いる超音波溶着により、あるいは高周波溶着、熱溶着等により接合されている。ストリップ２６および紐２８は、前記合成樹脂製の織布に代えて、合成繊維製の不織布、プラスチックテープ、天然繊維製の織布、天然繊維製の不織布等からなるものとすることができる。また、ストリップ２６および紐２８についての前記接合は、前記溶着に代えて、また、ストリップ２６および紐２８の材質に応じて、例えば縫合、接着剤を用いた接着等により行うことが可能である。
【００１４】
両ストリップ２６と両紐２８とはこれらの一端部２６ａ、２８ａにおいて互いに接合されている（接合箇所を符号３０で示す。）。また、両ストリップ２６は、両紐２８の両側に位置する両側部において、両ストリップ２６の長手方向へ互いに間隔をおかれた複数の線Ｌ１、Ｌ２及びＬ３の各線上の少なくとも２箇所３２で互いに接合されている。
【００１５】
両ストリップ２６の一端部２６ａ及び両紐２８の一端部２８ａにおける接合箇所３０に隣接する線Ｌ１は、両ストリップ２６をこれらに直交して横切っている。また、線Ｌ２及びＬ３は両ストリップ２６を互い違いに斜めに横切っている。各線Ｌ１〜Ｌ３が両ストリップ２６を横切る角度（設定角度）はそれぞれ任意に定めることが可能である。設定角度の大きさに応じて、造花１２の花冠１６を構成する後記対をなす花弁３４相互、花弁３６相互および花弁３８相互がなすそれぞれの角度（開き角度）及び花弁３４〜３８相互の両紐２８の周りの相対位置が変わる。さらに、線Ｌ１〜Ｌ３の数も任意に定められ、前記線の数に応じて、前記花弁の数が変わる。
【００１６】
造花１２は、図７に示すように、造花形成用リボン２４の両ストリップ２６を両紐２８に対してこれらの長手方向へ相対移動させることにより、より詳細には、両紐２８に沿って両ストリップ２６の他端部２６ｂをこれらの一端部２６ａに向けて移動させることにより形成される。前記相対移動により、両ストリップ２６の一端部２６ａとこれに隣接する線Ｌ１との間の両ストリップ２６の一部分Ａ（図５参照）と、互いに隣接する２つの線（Ｌ１及びＬ２）相互間の両ストリップ２６の一部分Ｂ、２つの線（Ｌ２及びＬ３）相互間の両ストリップ２６の一部分Ｃとが、それぞれ、ループ状に変形し、両ストリップ２６の他端部２６ｂ間から両紐２８の他端部２８ｂが突出する。その結果、造花１２の花冠１６が形成される。前記ループ状に変形した両ストリップ２６の一部分Ａ、Ｂ及びＣは、それぞれ、花冠１６を構成する三対の花弁３４、３６及び３８をなす。
【００１７】
造花１２の形成後、両紐２８はこれを横切る線ｌに沿ってこれらの一部２８ｃ（図３）を残して切断し、これらの一部２８ｃを一方のストリップ２６の他端部２６ｂに接着する。あるいは、また、両紐２８を結び合わせた後、結び目を残して切断する。これにより、両紐２８に対する両ストリップ２６の相対移動が阻止され、花冠１６の形態が維持される。
【００１８】
図５を参照すると、両ストリップ２６の一端部２６ａにおける接合箇所３０と、これに隣接する線Ｌ１との間の距離Ｓ１と、互いに隣接する前記２つの線Ｌ１及び線Ｌ２相互間の距離Ｓ２と、２つの線Ｌ２及び線Ｌ３相互間の距離Ｓ３とは任意に定めることができ、また、これにより花弁３４、３６、３８の大きさ（前記ループの長さ）を任意に定めることができる。
【００１９】
造花形成用リボン２４を構成するスティック１８は細長いプラスチック製の板片からなり、その一端部である基部１８ａ及びその他端部である先端部１８ｂを有する。スティック１８は、両ストリップ２６の他端部２６ｂの一方に固定されている。図示の例では、スティック１８は両ストリップ２６と平行に伸び、その基部１８ａが両ストリップ２６の他端部２６ｂ間にあって一方の他端部２６ｂに接着され、また、その先端部１８ｂが両ストリップ２６の他端部２６ｂ間外に位置する。
【００２０】
造花１２は、例えば、吸水性スポンジ２０に突き刺されている複数の生花１４間に刺し入れ、スティック１８を吸水性スポンジ２０に突き刺すことができる。あるいは、造花１２と生花１４とを吸水性スポンジ２０に順次に突き刺すことができる。スティック１８の先端部１８ｂは、これを吸水性スポンジ２０に突き刺しやすいように先細に形成されている。また、スティック１８は生花１４の茎とほぼ同じ長さを有するものとすることができる。
【００２１】
図示の例に代えて、スティック１８は両ストリップ２６に対してこれらと非平行に伸びるものとすることができる。また、スティック１８は、金属製又は木製のものとし、また、例えば棒状体からなるものとすることができる。スティック１８の先端部１８ｂは、から該他端部間外へ両ストリップ２６の伸長方向へ伸びている。
【００２２】
好ましくは、スティック１８はその基部１８ａが両ストリップ２６に対して線Ｌ３に近接するように配置する。これにより、造花１２の花冠１６を、スティック１８上に、比較的安定的に支えることができる。
【符号の説明】
【００２３】
１０  花束
１２  造花
１４  生花
１６  造花の花冠
１８  スティック
２４  造花形成用リボン
２６  ストリップ
２８  紐
３４、３６、３８  花弁
【図１】
0003212112.tif 000003
【図２】
0003212112.tif 000004
【図３】
0003212112.tif 000005
【図４】
0003212112.tif 000006
【図５】
0003212112.tif 000007
【図６】
0003212112.tif 000008
【図７】
0003212112.tif 000009